(57)【要約】【課題】  本発明は、ホコリおよびゴミに影響されることなく、地震の際には免震構造物と一緒に動いて免震可能な支持装置を提供することを目的とする。【解決手段】  本発明は、免震構造物３用の外部仮設構造体２を支持する支持装置１であって、支持板１１と、複数の支柱１２と、地面固定部材１３と、連結弾性体１４と、連結固定部材１６とを含み、前記支持板１１は、その上面に前記外部仮設構造体２を載せて支持可能であり、前記複数の支柱１２の各上端部が、前記連結弾性体１４を介して、前記支持板１１の下面に連結されており、前記複数の支柱１２の各下端部が、前記連結弾性体１４を介して前記地面固定部材１３に連結されており、前記支持板１１が、前記連結固定部材１６によって前記免震構造物３に固定可能である。【選択図】  図１
2018150795.tif 000002
【特許請求の範囲】
【請求項１】
免震構造物用の外部仮設構造体を支持する支持装置であって、
支持板と、複数の支柱と、地面固定部材と、連結弾性体と、連結固定部材とを含み、
前記支持板は、その上面に前記外部仮設構造体を載せて支持可能であり、
前記複数の支柱の各上端部が、前記連結弾性体を介して、前記支持板の下面に連結されており、
前記複数の支柱の各下端部が、前記連結弾性体を介して前記地面固定部材に連結されており、
前記支持板が、前記連結固定部材によって前記免震構造物に固定可能である
ことを特徴とする支持装置。
【請求項２】
さらに、筋交いを含み、
前記筋交いの一端は、前記支柱の上端部と連結し、前記筋交いの他端は、前記支柱と隣接する支柱の下端部と連結し、
前記筋交いは、前記隣接する支柱間の対角線距離の変化に応じて変形可能である
ことを特徴とする請求項１記載の支持装置。
【請求項３】
前記筋交いは、二つの線状部材の端部同士が回動可能な状態で連結されたものであることを特徴とする請求項２記載の支持装置。
【請求項４】
前記連結弾性体が、バネであることを特徴とする請求項１から３のいずれか一項に記載の支持装置。
【請求項５】
前記連結固定部材が、弾性体であることを特徴とする請求項１から４のいずれか一項に記載の支持装置。
【請求項６】
免震構造物用の免震足場であって、
請求項１から５のいずれか一項に記載の支持装置の支持板の上に、足場本体が搭載されており、
前記支持装置が前記連結固定部材により前記免震構造物に連結固定されることによって、
前記免震構造物の動きと連動して動くことが可能な免震足場。
【請求項７】
前記足場本体が、前記連結固定部材により前記免震構造物に連結固定可能である請求項６記載の免震足場。
【請求項８】
前記連結固定部材が、弾性体であることを特徴とする請求項７記載の免震足場。
【発明の詳細な説明】
【技術分野】
【０００１】
本発明は、免震構造物用の外部仮設構造体を支持する支持装置およびそれを用いた免震足場に関する。
【背景技術】
【０００２】
地震の揺れを緩和するために、高層ビルおよびタワーマンションでは免震装置が備え付けられている。高層ビルおよびタワーマンションのような免震建造物においても、外壁補修工事等では、工事期間中建物本体の免震装置にはロックをかけて地震時に免震装置が作動させないことが行われている。しかし、工事期間中と云えども大地震が発生する可能性はあり、この場合はロックがはずれ建物本体が大きく揺れることにより外部足場が崩壊する可能性がある。これに対応するために、足場の免震構造も提案されている。特許文献１および特許文献２では、足場の支持部材が免震構造物に連結され、足場の支持部材自体が免震構造物と一緒に水平方向にスライド可能な技術が開示されている。
【先行技術文献】
【特許文献】
【０００３】
【特許文献１】特開２００１−４５７１号公報
【特許文献２】特開２００８−２９１８５９号公報
【発明の概要】
【発明が解決しようとする課題】
【０００４】
しかしながら、作業現場では、ホコリおよびゴミが多く発生するため、特許文献１および特許文献２のような支持板がスライドするような構造では、ホコリおよびゴミの付着によりスライドが妨げられる恐れがある。また、ホコリおよびゴミの付着を防止するためには、常に掃除等のメインテナンスが必要であり、これでは、作業効率が悪くなってしまう。
【０００５】
そこで、本発明は、作業現場で発生するホコリおよびゴミに影響されることなく、地震の際には免震構造物と一緒に動いて外部仮設構造体を水平に保つことが出来る免震可能な支持装置およびそれを用いた免震足場を提供することを目的とする。
【課題を解決するための手段】
【０００６】
前記目的を達成するために、本発明の支持装置は、免震構造物用の外部仮設構造体を支持する支持装置であって、支持板と、複数の支柱と、地面固定部材と、連結弾性体と、連結固定部材とを含み、前記支持板は、その上面に前記外部仮設構造体を載せて支持可能であり、
前記複数の支柱の各上端部が、前記連結弾性体を介して、前記支持板の下面に連結されており、前記複数の支柱の各下端部が、前記連結弾性体を介して前記地面固定部材に連結されており、前記支持板が、前記連結固定部材によって前記免震構造物に固定可能であることを特徴とする。
【０００７】
本発明の免震足場は、免震構造物用の免震足場であって、本発明の支持装置の支持板の上に、足場本体が搭載されており、前記支持装置が前記連結固定部材により前記免震構造物に連結固定されることによって、前記免震構造物の動きと連動して動くことが可能な免震足場である。
【発明の効果】
【０００８】
本発明によれば、スライド構造を採用せず、連結弾性体により動くことが可能なため、作業現場で発生するホコリおよびゴミの影響を受けることがない。
【図面の簡単な説明】
【０００９】
【図１】図１のＡからＣは、本発明の支持装置および免震足場の構成を側面方向から見た場合の一例を示す図である。
【図２】図２のＡからＣは、図１のＡからＣにおいて、本発明の支持装置および免震足場の構成を正面方向から見た場合の一例を示す図である。
【図３】図３ＡとＢは、筋交いの上部線状部材と下部線状部材の端部の連結構造の一例を示す図である。
【図４】図４Ａは、支柱の下部の構造の一例を示す図であり、図４Ｂは、支柱の上部の構造の一例を示す図である。
【図５】図５ＡおよびＢは、支持装置および足場本体の双方の連結固定部材を弾性体（コイルバネ）にした状態を示す図である。
【図６】図６は、支持装置および足場本体の双方の連結固定部材を弾性体（コイルバネ）にした状態を示す図である。
【発明を実施するための形態】
【００１０】
本発明の支持装置において、さらに、筋交いを含み、前記筋交いの一端は、前記支柱の上端部と連結し、前記筋交いの他端は、前記支柱と隣接する支柱の下端部と連結し、前記筋交いは、前記隣接する支柱間の対角線距離の変化に応じて変形可能であることが好ましい。
【００１１】
前記筋交いは、二つの線状部材の端部同士が回動可能な状態で連結されたものであることが好ましい。ただし、本発明において筋交いの構造は限定されず、他の構造であってもよい。
【００１２】
本発明において、前記連結弾性体は、例えば、バネであることが好ましい。なお、本発明において、前記連結弾性体は、バネに限定されず、例えば、ゴム等のような別の弾性体であってもよい。
【００１３】
前記足場本体が、前記連結固定部材により前記免震構造物に連結固定可能であることが好ましい。
【００１４】
前記支持装置および前記足場本体を免震構造物に連結固定する双方の連結固定部材は、すくなくとも一方が、弾性体であることが好ましい。前記弾性体としては、ゴム、コイルバネ等が好ましい。
【００１５】
つぎに、本発明について、例を挙げて説明する。ただし、本発明は、以下の説明により、なんら限定されない。図１から図６に、本発明の支持装置の一例と、前記支持装置を用いた免震足場の一例を示す。図１から図６において、同一部分には同一符号を付している。
【００１６】
図１ＡからＣは、前記支持装置１に足場本体（外部仮設構造体）２を搭載した免震足場を、免震構造物３に設置した状態を側面方向から見た図であり、図２ＡからＣは、正面から見た図である。図１および図２において、Ａは、免震構造物３の揺れが無い状態を示し、Ｂは、矢印で示すように、免震構造物３が図面の左方向に揺れた状態を示し、Ｃは、矢印で示すように、免震構造物３が図面の右方向に揺れた状態を示す。図１ＡからＣに示すように、免震構造物３は、免震装置４上に配置されており、免震装置４により地震の揺れを緩和することができる。
【００１７】
図１および図２に示すように、前記支持装置１は、支持板１１と、複数の支柱１２と、地面固定部材１３と、バネ（連結弾性体）１４と、筋交い１５と、連結固定部材１６とから構成されている。支持板１１は、その上面に足場本体２を載せて支持している。前記複数の支柱１２の各上端部は、前記バネ１４を介して、前記支持板１１の下面に連結されている。前記複数の支柱１２の各下端部は、前記バネ１４を介して前記地面固定部材１３に連結されている。前記地面固定部材１３は、地面５に固定されている。また、前記支持板１１は、その側部において前記連結固定部材１６によって前記免震構造物３に連結固定されている。同様に、足場本体２も、前記連結固定部材１６によって前記免震構造物３に連結固定されている。
【００１８】
前記筋交い１５の一端は、前記支柱１２の上端部と連結し、前記筋交い１５の他端は、前記支柱１２と隣接する支柱１２の下端部と連結し、２本の筋交い１５によって、クロス状態で、隣接する２本の支柱１２が連結している。前記筋交い１５は、図３に示すように、上部線状部材１５Ａと下部線状部材１５Ｂの端部同士がピン１８によって回動可能な状態で連結されたものであり、この構造によって、前記筋交い１５は、前記隣接する支柱１２間の対角線距離の変化に応じて変形可能である。図３Ａは、上部線状部材１５Ａと下部線状部材１５Ｂが屈曲した状態を示し、図３Ｂは、上部線状部材１５Ａと下部線状部材１５Ｂが直線状になった状態を示す。
【００１９】
図１および図２に示すように、隣接する２本の支柱１２間において、上端部同士は、支柱連結具１７Ａにより連結され、中央部同士は、支柱連結具１７Ｃにより連結され、下端部同士は、支柱連結具１７Ｂにより連結されている。
【００２０】
図４は、図１Ｂに示すように、免震構造物３が図面の左方向に揺れた状態の支柱１２の上端部および支柱１２の下端部の構造を示す図である。図４Ａに示すように、支柱連結具１７Ｂの端部と筋交い１５の下部線状部材１５Ｂの端部が、支柱１２の下端部の板材にピン１８で回動可能な状態で連結している。また、図４Ｂに示すように、支柱連結具１７Ａの端部と筋交い１５の上部線状部材１５Ａの端部が、支柱１２の上端部の板材にピン１８で回動可能な状態で連結している。さらに、図４には示していないが、支柱連結具１７Ｃは、ピンにより支柱１２の中央部に回動可能な状態で連結している。これら図４ＡとＢに示すように、免震構造物３が揺れた場合は、その揺れ方向に応じてバネ１４が変形して支柱１２が傾き、この支柱１２の傾きに応じて、筋交い１５が変形することが可能で、かつ支柱連結具１７ＡからＣも支柱１２の傾きに対応することが可能である。
【００２１】
図１ＢおよびＣ並びに図２ＢおよびＣに示すように、地震の際に、免震構造物３が揺れた場合は、免震構造物３の揺れと連動して本発明の支持装置１が変形して動くことができ、かつ、足場本体２も免震構造物３の揺れと連動して動くことができるので、足場が壊れることがなく安全である。
【００２２】
次に、図５および図６において、免震構造物３に対し、コイルバネ（弾性体）の連結固定部材１６１により、支持装置１および足場本体２が連結固定されている状態を示す。図５（Ａ）は、連結固定部材を除く他は、図１（Ａ）と同じであり、図５（Ｂ）は、連結固定部材を除く他は、図４（Ｂ）と同じである。図６は、免震建物（免震構造物）３に対し、支持装置１および足場本体２の双方がコイルバネ（連結固定部材）１６１により連結固定されている状態の全体を示す図である。図５および図６に示すように、コイルバネ（連結固定部材）１６１により、支持装置１および足場本体２が免震構造物３に連結固定されていれば、地震が発生して免震構造物３が大きく揺れたとしても、自動車のショックアブソーバーと同様の原理により、免震構造物３の水平加速度を低減することができ、足場本体２からの人および資材の落下を防止することが可能となる。
【００２３】
以上、本発明について、支持装置１に足場本体２を搭載した免震足場について説明した。ただし、本発明は足場に限定されず、その他の外部仮設構造体にも適用できる。また、本発明の実施形態において、例えば、本ばね支持構造は常に上下動が発生している場所において、計測機器あるいは撮影機器を設置し、安定的な計測および撮影が可能な架台としても利用可能である。
【産業上の利用可能性】
【００２４】
以上、説明したとおり、本発明によれば、作業現場で発生するホコリやゴミの影響を受けることなく、免震構造物と一緒に動くことができる支持装置およびそれを用いた免震足場を提供できる。本発明によれば、高層ビルおよびタワーマンションのような免震構造物の外壁補修工事等において、足場も免震可能であるから、地震時の安全性に優れるとともに、ホコリおよびゴミに起因するメインテナンスが不要であるため効率的かつ経済的でもある。
【符号の説明】
【００２５】
１        支持装置
２        足場本体（外部仮設構造体）
３        免震構造物
４        免震装置
５        地面
１１      支持板
１２      支柱
１３      地面固定部材
１４      連結弾性体（バネ）
１５      筋交い
１５Ａ    上部線状部材
１５Ｂ    下部線状部材
１６      連結固定部材
１７Ａ,Ｂ,Ｃ  支柱連結具
１８      ピン
１６１    連結固定部材（弾性体）
【図１】
2018150795.tif 000003
【図２】
2018150795.tif 000004
【図３】
2018150795.tif 000005
【図４】
2018150795.tif 000006
【図５】
2018150795.tif 000007
【図６】
2018150795.tif 000008